(57)【要約】      （修正有）【課題】既存のクレセントの形状に柔軟に対応できる子機を備えた戸締り確認システム用後付けキットを提供する。【解決手段】施解錠装置の可動部１０３に取り付けられ、永久磁石を備える被感知部１６０と、磁石の近傍に配置されて施解錠装置の施解錠動作による磁石の近接を感知するセンサー１２５を備えたセンサー基盤１５１と、センサー基盤を内蔵するとともにセンサーの磁石への近接感知をきっかけとして発せられる施解錠信号を発信する発信機１５０とを備え、さらに、発信機から離隔された位置に配置されるべき施解錠信号を受信する防犯コントローラとを具備する戸締り確認システム用後付けキットであって、センサー基盤は、高さ調節可能である固定具１５２ａ、１５２ｂによって、高さ方向におけるいずれの位置かに取り付ける。【選択図】図４（ａ）
2005155004.tif 000002
【特許請求の範囲】
【請求項１】
施解錠装置の可動部に取り付けられ、永久磁石を備える被感知部と、前記磁石の近傍に配置されて前記施解錠装置の施解錠動作による前記磁石の近接を感知するセンサーを備えたセンサー基盤と、該センサー基盤を内蔵するとともに前記センサーの前記磁石への近接感知をきっかけとして発せられる施解錠信号を発信する発信機とを備え、さらに、前記発信機から離隔された位置に配置されるべき前記施解錠信号を受信する防犯コントローラとを具備する戸締り確認システム用後付けキットであって、
前記センサー基盤は、高さ調節可能である固定具によって、高さ方向におけるいずれの位置かに取り付けられている、
ことを特徴とした戸締り確認システム用後付けキット。
【請求項２】
躯体に設けられた枠体と、前記枠体に取り付けられた障子と、前記障子に取り付けられている施解錠装置とを備えた開口部装置であって、
前記施解錠装置の可動部に取り付けられ、永久磁石を備える被感知部と、前記磁石の近傍に配置されて前記施解錠装置の施解錠動作による前記磁石の近接を感知するセンサーを備えたセンサー基盤と、該センサー基盤を内蔵するとともに前記センサーの前記磁石への近接感知をきっかけとして発せられる施解錠信号を発信する発信機とを備え、さらに、前記発信機から離隔された位置に配置されるべき前記施解錠信号を受信する防犯コントローラとを具備し、前記センサー基盤は、高さ調節可能である固定具によって、高さ方向におけるいずれの位置かに取り付けられている戸締り確認システム用後付けキットを備えている、
ことを特徴とする開口部装置。
【発明の詳細な説明】
【技術分野】
【０００１】
本発明は、後付け可能に構成された戸締り確認システムに関する。
【背景技術】
【０００２】
近年、空き巣等の犯罪件数の増大に伴い、建物のドア、窓等の施解錠装置に防犯システムを取り付ける場合が多い。防犯システムには、サッシに取り付けられたクレセント等の施解錠装置近傍に設置され、このクレセントの施錠解錠信号を送信する複数の子機と、複数の子機からの施解錠信号を受信して各子機の施解錠状態を表示する親機とを備え、この親機を玄関等に設置し、外出時、または就寝時に、この親機で各サッシの戸締り状態を確認する戸締り確認システムが使用されている。
【０００３】
実際に外部からサッシのガラスパネル等が破壊され、クレセントが施解錠された場合にはクレセントの近傍に設置された子機が察知して親機に信号を送信し、信号を受信した親機は、家主の携帯電話等に信号を送信して不法侵入を伝えるシステムとなっている。さらに、セキュリティーシステム等に加入している場合には、管理室に非常信号が送信されるようシステム化することも可能である。
【０００４】
特許文献１には、クレセント近傍に取り付けられた戸締り確認システムが開示されており、図６にはその子機３００、およびクレセント４００が示されている。サッシは、内障子と外障子とを備える引き違いサッシであり、子機３００はクレセント４００に隣接するよう、クレセント４００とともに框３２０に設けられている。レバー部４１０には磁石が埋設されており、子機３００には磁石に対向するセンサー４１０ａ、および４１０ｂが配備されている。なお、センサー４１０ａ、および４１０ｂは、子機３００の下端部４２０に内蔵されているため破線で示す。子機３００は、クレセント４００のレバー部４１０と框３２０との幅に合わせて、クレセント４００内の磁石に配向されるように下端部を切りかかれている。戸締り確認システムが作動中の状態では、センサー４１０ａ、および４１０ｂが、センサー４１０ａ、および４１０ｂに磁石が近接した施錠状態、および磁石が離れた解錠錠状態を感知し、子機３００から親機に信号が発信されている。また、このような戸締り確認システムを取り付けるには、既存のクレセントがある場合、一般的にはクレセント全体をハンドル部に磁石の取り付けられたものと新たに交換し、さらに子機も同時に取り付けることにより対応している。
【特許文献１】特開２００２−２１３１２２号公報
【発明の開示】
【発明が解決しようとする課題】
【０００５】
既存のクレセントの中には交換ができないものもあり、後付けで取り付けることのできる、様々なデザインに対応可能である戸締り確認システムの開発が望まれている。
【０００６】
しかし、後付けで取り付けるには、クレセントのレバー部に磁石を取り付け、さらに磁石に配向される位置に子機を取り付けるが、クレセントのデザインは多様であるため、レバー部と框との幅もそれぞれ異なっており、定型の子機では対応できかねる場合も多かった。これに対し、各クレセントに対応できるよう子機を生産すれば、生産コストが増大するため、実現は困難であった。
【０００７】
そこで、本発明では、既存のクレセントの形状に柔軟に対応できる子機を備えた戸締り確認システム用後付けキットを提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、施解錠装置の可動部（１０３）に取り付けられ、永久磁石を備える被感知部（１６０）と、磁石の近傍に配置されて施解錠装置の施解錠動作による磁石の近接を感知するセンサー（１２５）を備えたセンサー基盤（１５１）と、センサー基盤を内蔵するとともにセンサーの磁石への近接感知をきっかけとして発せられる施解錠信号を発信する発信機（１５０）とを備え、さらに、発信機から離隔された位置に配置されるべき施解錠信号を受信する防犯コントローラ（１８０）とを具備する戸締り確認システム用後付けキットであって、センサー基盤は、高さ調節可能である固定具（１５２ａ、１５２ｂ）によって、高さ方向におけるいずれの位置かに取り付けられている、ことを特徴とした戸締り確認システム用後付けキットを提供して前記課題を解決する。
【００１０】
請求項１の発明によれば、予め取り付けられている施解錠装置に、磁石を感知する発信機、磁石を後付けでき、発信機は、発信機内部に取り付けられているセンサー基盤が、様々な形状の可動部の位置、および高さに合わせて取り付けられるため、位置、および高さを自由にとりつけることが可能であり、さらに防犯コントローラも後付けできるため、施解錠装置全体を交換することなく、低コストで戸締り確認システムが取り付けられる。
【００１１】
請求項２の発明は、躯体に設けられた枠体（５０）と、枠体に取り付けられた障子（６０、７０）と、障子に取り付けられている施解錠装置とを備えた開口部装置（２００）であって、施解錠装置の可動部（１０３）に取り付けられ、永久磁石を備える被感知部（１６０）と、磁石の近傍に配置されて施解錠装置の施解錠動作による磁石の近接を感知するセンサー（１２５）を備えたセンサー基盤（１５１）と、センサー基盤を内蔵するとともにセンサーの磁石への近接感知をきっかけとして発せられる施解錠信号を発信する発信機（１５０）とを備え、さらに、発信機から離隔された位置に配置されるべき施解錠信号を受信する防犯コントローラ（１８０）とを具備し、センサー基盤は、高さ調節可能である固定具（１５２ａ、１５２ｂ）によって、高さ方向におけるいずれの位置かに取り付けられている戸締り確認システム用後付けキットを備えている、ことを特徴とする開口部装置を提供する。
【００１２】
請求項２の発明によれば、開口部装置に予め取り付けられている施解錠装置に、磁石を感知する発信機、磁石を後付けでき、発信機は、発信機内部に取り付けられているセンサー基盤が、様々な形状の可動部の位置、および高さに合わせて取り付けられるため、位置、および高さを自由にとりつけることが可能であり、さらに防犯コントローラも後付けできるため、施解錠装置全体を交換することなく、低コストで戸締り確認システムが取り付けられる。
【発明の効果】
【００１３】
請求項１の発明によれば、予め取り付けられている施解錠装置に、磁石を感知する発信機、磁石を後付けでき、発信機は、発信機内部に取り付けられているセンサー基盤が、様々な形状の可動部の位置、および高さに合わせて取り付けられるため、位置、および高さを自由にとりつけることが可能であり、さらに防犯コントローラも後付けできるため、施解錠装置全体を交換することなく、低コストで戸締り確認システムが取り付けられる。
【００１４】
また、請求項２の発明によれば、開口部装置に予め取り付けられている施解錠装置に、磁石を感知する発信機、磁石を後付けでき、発信機は、発信機内部に取り付けられているセンサー基盤が、様々な形状の可動部の位置、および高さに合わせて取り付けられるため、位置、および高さを自由にとりつけることが可能であり、さらに防犯コントローラも後付けできるため、施解錠装置全体を交換することなく、低コストで戸締り確認システムが取り付けられる。
【００１５】
本発明のこのような作用、および利得は、次に説明する発明を実施するための最良の形態から明らかにされる。
【発明を実施するための最良の形態】
【００１６】
以下本発明を図面に示す実施形態に基づき説明する。
【００１７】
図１は、本発明に係る戸締り確認システム用後付けキットが取り付けられた引き違い窓２００が閉じられた状態を室外側から概略的に示した正面図である。なお、本実施例では引き違い窓を例として説明する。
【００１８】
図示の引き違い窓２００は、建物（図示せず）の所定箇所に取り付けられる枠体５０と、枠体５０に取り付けられた２枚の可動障子である内障子６０、および外障子７０とを備えている。
【００１９】
枠体５０は、上枠５１、下枠５２、右縦枠５３、および左縦枠５４によって構成されている。
【００２０】
また、内障子６０は、上框６１と、下框６２と、右縦框６３と、左縦框６４と、これらの框に固定されたガラスパネル６５とを備えており、左縦框６４の室内側には引き手（図１には現われていない。）が取り付けられている。外障子７０との召し合わせ框である右縦框６３（図１においては、下記の外障子７０の左縦框７４と召しあっており現れていない。）の中央部付近には回動手掛用部材１００（以下において「クレセント１００」という。）と、クレセント１００の近傍に設けられた発信機１５０（以下において「子機１５０」という。）とが取り付けられている。
【００２１】
外障子７０は、上框７１、下框７２、右縦框７３、左縦框７４、およびこれらの框に固定されたガラスパネル７５を備えており、右縦框７３の室内側には引き手（図１には現われていない。）が取り付けられている。内障子６０との召し合わせ框である左縦框７４にはクレセント１００と係合する係合部７６が設けられている。
【００２２】
図２には、図１の引き違い窓２００の外障子７０を図の左方向に引寄せて、窓を開放した状態におけるII−II線に沿った断面図を示している。外障子７０にはガラスパネル１３０ａ、および１３０ｂが、複層ガラスとして上下端部をグレージングチャネル１３１ａ、および１３１ｂを介して上框７１、および下框７２に取り付けられている。下框７２には、滑車１３２が設けられており、下枠５２から上方向に立設されたレール１３３の上に配置されている。滑車１３２が、レール１３３の上を回転しつつ見付け方向へと移動されることによって、障子７０の開閉が可能となっている。一方、上框７１には嵌合溝１３４が形成されており、上端部は上枠５１に設けられた突片１３５の厚さとほぼ同じ厚みの溝幅となるよう設けられている。よって、突片１３５が、上框７１に形成された嵌合溝１３４に隙間なく嵌合されることによって、障子７０の開閉時においてガタつきなく滑らかに見付け方向へと移動させることができる。
【００２３】
同様に、内障子６０にはガラスパネル１３６ａ、および１３６ｂが、複層ガラスとして上下端部をグレージングチャネル１３７ａ、および１３７ｂを介して上框６１、および下框６２に取り付けられている。下框６２には、滑車１３８が設けられており、下枠５２から上方向に立設されたレール１３９の上に配置されている。滑車１３８が、レール１３９の上を回転しつつ見付け方向へと移動されることによって、障子６０の開閉が可能となっている。一方、上框６１には嵌合溝１４０が形成されており、上端部は上枠５１に設けられた突片１４１の厚さとほぼ同じ厚みの溝幅となるよう設けられている。よって、突片１４１が、上框６１に形成された嵌合溝１４０に隙間なく嵌合されることによって、障子６０の開閉時においてガタつきなく滑らかに見付け方向へと移動させることができる。
【００２４】
本開口部装置（引き違い窓）２００を施解錠するための装置として、内障子６０の右縦框（図示せず）には子機１５０、およびクレセント１００が取り付けられており、クレセント１００内に形成されている可動部１０３（以下において「ハンドル部１０３」という。）を回動させることによって施解錠が可能であるように構成されている。
【００２５】
図３は、内障子６０の右縦框６３の見込み面６３ａに、クレセント１００、および子機１５０が装着されている様子を概略的に示した斜視図である。なお、図３は施錠時の状態を示している。係合部７６に錠止片１０２が係合されると、ハンドル部１０３とともに、ハンドル部１０３の下部（解錠時の状態）に取り付けられている、磁石１２０が内蔵された装着部材１６０が、センサー１２５ａ、および１２５ｂを保持した子機１５０に対応する位置へ移動される。
【００２６】
このように、センサー１２５に磁石１２０が感知されている状態であるか、非感知の状態であるかにより戸締り確認システムが作動されるよう構成されている。施錠状態は、センサー１２５によって感知され、子機１５０からは施錠信号が防犯コントローラ１８０（図５参照。なお、以下において「親機」という。）に送信される。
【００２７】
一方、クレセント１００が図３に示した矢印方向に回動され、ハンドル部１０３、およびハンドル部１０３に埋設されている磁石１２０が、子機１５０に設けられているセンサー１２５から離れていくと、子機１５０からは解錠信号が親機１８０（図８参照）に送信される。よって、外出時、または就寝時等において、外部からの侵入者が解錠を試みた場合はただちに管理者に知れることとなる。
【００２８】
上述した構造のうち、本発明では子機１５０の取り付け方法に最大の特徴を備えている。以下に詳細に説明する。
【００２９】
図４（ａ）は、図３を室内側方向から見た側面図を示す。なお、よりよく説明をするために、子機１５０、およびクレセント１００の一部を透視図にて表す。子機１５０の左側にはセンサー基盤１５１がねじ１５２ａ、および１５２ｂによって固定されている。センサー基盤１５１の上部には、ＤＣ電池１５３が取り付けられており、下端部には、上記センサー１２５ｂが配備されている。センサー１２５ｂによって、上記のとおりハンドル部１０３の装着部材１６０に取り付けられている磁石１２０を感知するようになっている。また、センサー基盤１５１は、ケース１５０ａを介して右縦框６３に取り付けられている。
【００３０】
磁石１２０と、子機１５０のセンサー１２５ｂとは、図４に示すように所定の間隔(数ミリ程度）となるよう取り付けられており、所定の間隔以上になると磁石１２０はセンサー１２５ｂ（図４（ａ）には現われていないが、センサー１２５ａについても同様である。）に感知されないようになる。本実施例に示されている子機１５０、および装着部材１６０は、多様なデザインからなる既存の縦框６３、およびクレセント１００に後付けで取り付けられる。しかし、既存の開口部装置に取り付けられた場合の磁石１２０と、子機１５０のセンサー１２５ｂとの間隔はクレセントごとにそれぞれ異なる。この間隔を調整する調整機構として、センサー基盤１５１を磁石１２０に近接、もしくは隔離させるために、固定具１５２ａ、および１５２ｂを使用し、固定具１５２ａ、および１５２ｂの締め付けの程度によって距離を調節している。
【００３１】
固定具１５２ａ、および１５２ｂによってセンサー基盤１５１の位置を決定したのち、センサー基盤１５１の左部（ケース１５０ａの反対側）は、固定具１５２ａ、および１５２ｂとともに樹脂材で固定される。
【００３２】
また、図４（ｂ）には、図４（ａ）に示されたセンサー基盤１５１が低位置に取り付けられている様子を示す。右框６３と近接したハンドル部１０３に対応させるため、固定具１５２ｂを右框６３に深くねじ入れてセンサー基盤１５１を右框６３に近接させる。クレセント１００は、センサー基盤１５１をハンドル部１０３との隙間に固定可能となる位置まで低い位置に取り付けたのち、取り付けられる。
【００３３】
なお、図示は省略するが、図４（ｂ）に示された低位置に固定されたセンサー基盤１５１とは反対に、固定具１５２ａ、および１５２ｂを浅くねじ入れることにより、センサー基盤１５１を高い位置に固定することも可能である。
【００３４】
また、高さ調節が可能であることにより、ハンドル部１０３がいずれの場所に取り付けられても、センサー基盤１５１の取り付けスペースがあればハンドル部１０３に対応する位置に取り付けることが可能である。
【００３５】
上記の実施例では、いずれの場合においてもクレセントの部材を交換する必要がなく、後付けで部材を取り付けるのみでよい。また、後付けされる部材は簡便な作業によって取り付けられる。また、ハンドル部１０３には上記センサー１２５ｂに対応する磁石１２０が装着部材１６０を介して取り付けられているが、装着部材１６０に、例えばハンドル部１０３の外径よりやや大きめに形成した三菱化学製ヒシチューブ（軟質ポリ塩化ビニール系）の熱収縮材を使用し、熱湯を注いで熱収縮材を収縮させて磁石を固定する方法や、装着部材１６０をケースと充填材とで構成し、ケース内に発泡性を有するウレタン系の樹脂等の充填材を流し込むことによって磁石を固定する方法等があり、前期センサー基盤１５１と同様に簡便な方法で磁石が取り付けられている。このように、障子６０には、容易に取り付けられ、現場対応も可能であるため作業効率、生産コストにおいても優れた子機１５０、および装着部材１６０が取り付けられる。
【００３６】
また、クレセントだけではなく、サムターンにおいても、上記の方法により可動部に磁石を固定し、磁石に対応する位置に子機を取り付けることが可能である。
【００３７】
なお、上記実施例の他に、既存するドアのサムターン、デッドボルトに穴をあけて磁石を取り付け、磁石に対応する位置に子機を取り付ける構成がある。また、木造サッシやビル用サッシのクレセント、ラッチ、ハンドル、サムターン等の戸締り金具の可動部に、磁石の取り付け用ポケットを製造段階で予め作っておき、子機を、ポケット内に装着した磁石の位置にあわせて取り付ける、という構成としても上記の実施例と同様の効果を奏することができる。
【００３８】
図５には戸締り確認システムが作動する様子を概略的に示す。この戸締り確認システムは、上記クレセント１００ａ〜１００ｃ、および子機１５０ａ〜１５０ｃを備えた複数の窓（I）〜（III）と、これら窓（I）〜（III）の子機１５０ａ〜１５０ｃと無線通信可能に構成された防犯コントローラ１８０（以下において「親機１８０」という。）とを備えている。なお、図５において説明するクレセント１００だけでなく、子機を備えたいずれの施解錠装置にも親機１８０が備えられており、以下の説明と同様に作動される。
【００３９】
親機１８０は、例えば玄関等の防犯システムの作動をオン、オフに操作しやすい場所に設置され、例えば、台所、和室、浴室等に設置された窓（I）〜（III）の子機１５０ａ〜１５０ｃからのクレセント１００ａ〜１００ｃの施解錠信号を受信して、受信表示を行う表示装置１８１が設けられている。表示装置１８１により、建物管理者等は建物に設けられている窓において、どの窓がどのような施解錠状態におかれているかがすぐにわかるようになっている。
【００４０】
一方、親機１８０から、外出先の関係者や建物管理者の携帯電話、もしくはコンピューター等に信号を送信することも可能であり、異変が生じた場合には時間を経ずして知らせることも可能である。
【００４１】
以上、現時点において、もっとも、実践的であり、かつ、好ましいと思われる実施形態に関連して本発明を説明したが、本発明は、本願明細書中に開示された実施形態に限定されるものではなく、引き違い窓の他にも縦滑り出し窓、および横滑り出し窓等にも適用される。また、請求の範囲および明細書全体から読み取れる発明の要旨或いは思想に反しない範囲で適宜変更可能であり、そのような変更を伴う戸締り確認システム用後付けキットもまた本発明の技術的範囲に包含されるものとして理解されなければならない。
【図面の簡単な説明】
【００４２】
【図１】引き違い窓を室外側から概略的に示す正面図である。
【図２】図１におけるII−II線に沿った断面図である。
【図３】右縦框に、クレセント、および子機が装着されている様子を概略的に示す斜視図である
【図４（ａ）】図３に示したクレセント、および子機を、室内側方向から見た側面図である。
【図４（ｂ）】図４（ａ）の応用例を示す図である。
【図５】戸締り確認システムが作動する様子を概略的に示す図である。
【図６】従来例を示す図である。
【符号の説明】
【００４３】
５０  枠体
６０、７０  障子
１００  クレセント（施解錠装置）
１０３  ハンドル部（可動部）
１２０  磁石
１２５  センサー
１５０  子機（発信機）
１６０  装着部材（被感知部）
１８０  親機（防犯コントローラ）
２００  開口部装置
【図１】
2005155004.tif 000003
【図２】
2005155004.tif 000004
【図３】
2005155004.tif 000005
【図４（ａ）】
2005155004.tif 000006
【図４（ｂ）】
2005155004.tif 000007
【図５】
2005155004.tif 000008
【図６】
2005155004.tif 000009